(57)【要約】【課題】頭髪に髪飾り具を差し込んで装着する場合に、頭髪に対して髪飾り具をワンタッチで簡易的に、且つ、安定した状態に固定することができ、それ自体が装飾的な機能を発揮するように構成した髪飾り取付用基具を提供すること。【解決手段】頭髪に差し込む髪飾り具を安定な状態に固定するべく頭部に装着して用いる髪飾り取付基具１であって、比較的剛直な金属製の細棒状材により形成される直径φでなる下縁側リング体２と、直径φ０（φ＞φ０）でなる上縁側リング体３と、直径φ１−ｎ　（　φ＞φ１−ｎ　＞φ０）でなる複数の中間リング体４〜７と、前記各リング体を互いに間隔をおいて平行状態に連結する複数の連結梁８とからなり、前記連結梁と前記各リング体とにより、周面に規則的な曲面状の格子空間１０を形成してなる髪飾り取付用基具。【選択図】　図１
0003097267.tif 000002
【実用新案登録請求の範囲】
【請求項１】
頭髪に差し込む髪飾り具を安定な状態に固定するべく頭部に装着して用いる髪飾り取付基具であって、比較的剛直な金属製の細棒状材により形成される直径φでなる下縁側リング体と、直径φ０（φ＞φ０）でなる上縁側リング体と、直径φ１−ｎ　（　φ＞φ１−ｎ　＞φ０）でなる複数の中間リング体と、前記各リング体を互いに間隔をおいて平行状態に連結する複数の連結梁とからなり、前記連結梁と前記各リング体とにより、周面に規則的な曲面状の格子を形成してなることを特徴とする髪飾り取付用基具。
【請求項２】
前記各リング体および連結梁が、径寸法約１．５〜２．５ｍｍの金属製細棒状材でなることを特徴とする請求項１に記載の髪飾り取付用基具。
【請求項３】
前記下縁側リング体の直径φが約１０〜１２ｍｍであり、上縁側リング体の直径φ０　が約５〜６ｍｍであり、下縁側リング体と上縁側リング体との間の高さ寸法ｈが約６〜７ｍｍであることを特徴とする請求項１あるいは請求項２に記載の髪飾り取付用基具。
【考案の詳細な説明】
【０００１】
【考案の属する技術分野】
この考案は、特に、結婚式において花嫁が高島田のように頭髪を盛り上げ、あるいはカツラを着用して、該頭髪に髪飾り具を差し込んで装着するような場合に、この髪飾り具を安定した状態に固定する目的、並びに、それ自体が装飾的な機能を発揮するように構成した髪飾り取付用基具に関するものである。
【０００２】
【従来の技術】
周知のように、結婚式における花嫁は、頭髪を豪華に盛り上げ、この盛り上げた頭髪に髪飾り具を差し込んで装着使用しており、あるいは、高島田のカツラを着用し、このカツラに髪飾り具を差し込んで装着使用している。これらの従来例によれば、往々にして、当該髪飾り具が脱落することがあり、極めて体裁の悪いものであった。また、上記する従来例によれば、髪飾り具の脱落を防止する目的でピン止めするなどの作業が強いられ、その装着作業が極めて煩わしいという問題点を有していた。
【０００３】
【考案が解決しようとする課題】
そこで、この考案は、上記する従来例にみられる欠点並びに問題点を解消するべく改良したものであって、特に、頭髪に髪飾り具を差し込んで装着するような場合に、頭髪に対して髪飾り具をワンタッチで簡易的に、且つ、安定した状態に固定することができ、並びに、それ自体が装飾的な機能を発揮するように構成した美しく装って着用することができる格調性並びに装飾性の高い髪飾り取付用基具を提供することにある。
【０００４】
【課題を解決するための手段】
この考案は、上記する目的を達成するにあたって、具体的には、頭髪に差し込む髪飾り具を安定な状態に固定するべく頭部に装着して用いる髪飾り取付基具であって、比較的剛直な金属製の細棒状材により形成される直径φでなる下縁側リング体と、直径φ０（φ＞φ０）でなる上縁側リング体と、直径φ１−ｎ　（　φ＞φ１−ｎ　＞φ０）でなる複数の中間リング体と、前記各リング体を互いに間隔をおいて平行状態に連結する複数の連結梁とからなり、前記連結梁と前記各リング体とにより、周面に規則的な曲面状の格子を形成してなる髪飾り取付用基具を構成するものである。
【０００５】
さらに、この考案は、前記各リング体および連結梁が、径寸法約１．５〜２．５ｍｍの金属製細棒状材でなる髪飾り取付用基具を構成するものである。
【０００６】
さらにまた、この考案は、前記下縁側リング体の直径φが約１０〜１２ｍｍであり、上縁側リング体の直径φ０　が約５〜６ｍｍであり、下縁側リング体と上縁側リング体との間の高さ寸法ｈが約６〜７ｍｍである髪飾り取付用基具を構成するものでもある。
【０００７】
【考案の実施の態様】
以下、この考案になる髪飾り取付用基具について、図面に示す具体的な実施例にもとづいて詳細に説明する。図１は、この考案にかかる髪飾り取付用基具についての具体的な実施例を示すものであって、図１Ａは、当該髪飾り取付用基具の一例を示す概略的な斜視図であり、図１Ｂは、その概略的な側面図である。一方、図２は、当該髪飾り取付用基具を装着した装着者の頭部の状態を示す概略的な斜視図である。
【０００８】
まず、この考案になる髪飾り取付用基具１は、図２に示すように、婚礼時における花嫁（装着者Ｕ）が、頭髪Ｈに差し込む髪飾り具１１を安定な状態に固定するべく頭部に装着し、あるいは、この髪飾り取付用基具１自体を装飾的な冠の構成要素として着用することができるようにしたものである。特に、後者の場合は、当該髪飾り取付用基具１を構成する金属製の細棒状材自体に装飾性を持たせ、且つ、当該髪飾り取付用基具１に対して装飾的な部材を一体的に設けておくこともできるように構成してある。
【０００９】
この考案の基本構成によれば、前記髪飾り取付用基具１は、図１Ａ並びに図１Ｂに示すように、比較的剛直な金属製の細棒状材により形成される直径φでなる下縁側リング体２と、直径φ０（φ＞φ０）でなる上縁側リング体３と、直径φ１−ｎ　（　φ＞φ１−ｎ　＞φ０）でなる複数の中間リング体４、５、６、７と、前記各リング体を互いに間隔をおいて平行状態に連結する複数の連結梁８とからなり、前記連結梁と前記各リング体とにより、周面に規則的な曲面状の格子を形成するものからなっている。
【００１０】
前記各リング体１〜７および連結梁８は、径寸法約１．５〜２．５ｍｍの金属製細棒状材により構成されており、メッキ等の手段によって装飾処理が施されている。さらに、前記各リング体１〜７および連結梁８は、必要に応じて、当該素線の径寸法が異なるものを組み合わせて構成することもできる。
【００１１】
この考案になる髪飾り取付用基具１の好ましい実施例によれば、前記下縁側リング体の直径φが約１０〜１２ｍｍ程度であり、上縁側リング体の直径φ０　が約５〜６ｍｍ程度であり、下縁側リング体と上縁側リング体との間の高さ寸法ｈが約６〜７ｍｍである。さらに、好ましい実施例によれば、前記中間リング体は、図１に示すように４つの中間リング体４、５、６、７を有するものがよい。この中間リング体の数は、図に示す実施例のものに限定されるものではない。
【００１２】
前記各リング体は、それぞれ外径寸法が異なっており、下縁側リング体の直径φ、上縁側リング体の直径φ０　、中間リング体の直径φ１−ｎ　（φ１　からφｎ　にかけて漸次小径になるものによって構成されている）の関係は、φ＞φ１−ｎ　＞φ０　によって構成されており、側周面が外向きに突出する球曲面を形成するように構成されている。
【００１３】
一方、前記連結梁８は、前記各リング体１〜７を互いに間隔をおいて平行状態に連結するためのものであって、母線方向に沿って湾曲状に構成されており、その本数は、６〜１０本程度であればよい。前記連結梁８とリング体１〜７は、各交点部分９において溶接等の固定手段によってしっかりと固着してある。
【００１４】
上記構成になる髪飾り取付用基具１は、装着者Ｕの頭部に装着して用いるものであり、例えば、装着者自身の頭髪Ｈを盛り上げ、あるいは、カツラにおける毛髪に対して、その内部あるいは外部に露出するように装着する。この場合、前記髪飾り取付用基具１は、その全体が頭髪ないしは毛髪の内部に隠されるように装着してもよいし、あるいは、当該髪飾り取付用基具１を冠のようにして頭髪ないしは毛髪Ｈの外部に露出するように装着してもよい。
【００１５】
このようにして装着者Ｕの頭部に装着された髪飾り取付用基具１に対し、その頭髪に差し込まれる髪飾り具１１は、前記髪飾り取付用基具１における格子空間１０に対して挿通され、安定な状態に固定される。前記髪飾り取付用基具１が冠のように露出している場合にも、前記髪飾り具１１は、当該髪飾り取付用基具１における格子空間１０に挿通され、その内部の頭髪に差し込まれる。
【００１６】
【考案の効果】
以上の構成になるこの考案の髪飾り取付用基具１は、構造が極めて簡単であり、製造が容易であって、多量生産に適合し得る点において、経済的にも極めて有利に作用するものであり、さらに、構成部材が少ないものであるという点においても極めて実効性の高いものであるといえる。
【００１７】
さらに、この考案になる髪飾り取付用基具１は、ワンタッチで極めて簡易的に装着することができ、且つ、髪飾り具１１を当該髪飾り取付用基具１における格子空間１０に挿通して頭髪に差し込むようにして用いるものであって、髪飾り具１１の装着作業性を高め、且つ、髪飾り具１１を安定した状態で固定することができ、当該髪飾り具の脱落を可及的に防止することができる等の点において極めて有効に作用するものといえる。
【図面の簡単な説明】
【図１】図１は、この考案にかかる髪飾り取付用基具についての具体的な実施例を示すものであって、図１Ａは、当該髪飾り取付用基具の一例を示す概略的な斜視図であり、図１Ｂは、その概略的な側面図である。
【図２】図２は、当該髪飾り取付用基具を装着した装着者の頭部の状態を示す概略的な斜視図である。
【符号の説明】
１　髪飾り取付用基具
２　下縁側リング体
３　上縁側リング体
４〜７　中間リング体
８　複数の連結梁
９　交点部分
１０　格子空間
１１　髪飾り具
φ　下縁側リング体の直径
φ０　上縁側リング体の直径
φ１−ｎ　　中間リング体の直径
Ｈ　頭髪、毛髪
Ｕ　装着者
【図１】
0003097267.tif 000003
【図２】
0003097267.tif 000004
【手続補正書】
【提出日】平成15年6月23日(2003.6.23)
【手続補正１】
【補正対象書類名】明細書
【補正対象項目名】実用新案登録請求の範囲
【補正方法】変更
【補正の内容】
【実用新案登録請求の範囲】
【請求項１】
頭髪に差し込む髪飾り具を安定な状態に固定するべく頭部に装着して用いる髪飾り取付基具であって、比較的剛直な金属製の細棒状材により形成される直径φでなる下縁側リング体と、直径φ０　でなる上縁側リング体と、直径φ１−ｎ　でなる複数の中間リング体と、前記各リング体を互いに間隔をおいて平行状態に連結する複数の連結梁とからなり、前記連結梁と前記各リング体とによって、周面に規則的な曲面状の格子を形成してなることを特徴とする髪飾り取付用基具。
【請求項２】
前記各リング体および連結梁が、径寸法約１．５〜２．５ｍｍの金属製細棒状材でなることを特徴とする請求項１に記載の髪飾り取付用基具。
【請求項３】
前記下縁側リング体の直径φが約１０〜１２ｍｍであり、上縁側リング体の直径φ０　が約５〜６ｍｍであり、下縁側リング体と上縁側リング体との間の高さ寸法ｈが約６〜７ｍｍであることを特徴とする請求項１あるいは請求項２に記載の髪飾り取付用基具。
【手続補正２】
【補正対象書類名】明細書
【補正対象項目名】０００４
【補正方法】変更
【補正の内容】
【０００４】
【課題を解決するための手段】
この考案は、上記する目的を達成するにあたって、具体的には、頭髪に差し込む髪飾り具を安定な状態に固定するべく頭部に装着して用いる髪飾り取付基具であって、比較的剛直な金属製の細棒状材により形成される直径φでなる下縁側リング体と、直径φ０　でなる上縁側リング体と、直径φ１−ｎ　でなる複数の中間リング体と、前記各リング体を互いに間隔をおいて平行状態に連結する複数の連結梁とからなり、前記連結梁と前記各リング体とによって、周面に規則的な曲面状の格子を形成してなる髪飾り取付用基具を構成するものである。